(57)【要約】【課題】毛髪体が帯電するのを防止可能なかつらを提供する。【解決手段】本願発明のかつら（１）は、頭部に装着されるベース（２）と、このベース（２）に固定された複数の毛髪体（３）と、を備える。上記各毛髪体（３）は、ゲルマニウムを含むことにより帯電防止機能が付与されている。【選択図】　図１
2004052184.tif 000002
【特許請求の範囲】
【請求項１】
頭部に装着されるベースと、このベースに固定された複数の毛髪体と、を備えたかつらであって、
上記各毛髪体は、ゲルマニウムを含むことにより帯電防止機能が付与されていることを特徴とする、かつら。
【請求項２】
上記各毛髪体の表面には、ゲルマニウムを含む被覆層が形成されている、請求項１に記載のかつら。
【請求項３】
上記被覆層には、カンラン石成分がさらに含まれている、請求項２に記載のかつら。
【請求項４】
上記各毛髪体の毛芯は、ゲルマニウム粉末を含む樹脂により形成されている、請求項１に記載のかつら。
【請求項５】
上記各毛髪体の毛芯を構成する樹脂には、カンラン石成分がさらに含まれている、請求項４に記載のかつら。
【請求項６】
上記各毛髪体の毛芯は、モダアクリル繊維、またはポリ塩化ビニル繊維により形成されている、請求項１〜５のいずれか１つに記載のかつら。
【請求項７】
頭部に装着されるベースに複数の毛髪体を固定してなるかつらの製造方法であって、
上記ゲルマニウムを含む被覆層を毛髪体の表面に形成する被覆工程を含み、
上記被覆工程は、ゲルマニウムと固定剤とが溶解した被覆用溶液中に毛髪体を浸漬するか、または毛髪体に上記被覆用溶液を噴霧させた後、これを乾燥することによって行われることを特徴とする、かつらの製造方法。
【発明の詳細な説明】
【０００１】
【発明の属する技術分野】
本願発明は、頭部に装着されるベースと、このベースに固定された複数の毛髪体とを備えたかつら、およびその製造方法に関する。特に、本願発明は、帯電防止機能が付与されたかつら、およびその製造方法に関する。
【０００２】
【従来の技術】
従来より、たとえば、自毛不足を補うため、あるいはファッション性を向上させるため、頭部にかつらを着用することが普及している。このようなかつらは、頭部に装着されるベースに複数の毛髪体を固定した構成とされている。かつらには、外観や手触りなどの点で人間の毛髪と見分けがつかないことが要求されており、このような観点から、毛髪体を形成するための材料として、太さや断面形状などを任意に設定可能であるとともに染色性の優れたポリ塩化ビニルなどの合成繊維が用いられる。
【０００３】
【発明が解決しようとする課題】
しかしながら、合成繊維は、導電性が低いため、かつらに櫛通しなどを行った際に発生した静電気が毛髪体に帯電しやすくなり、これにより、毛髪体が逆立つなどの問題が生じる。
【０００４】
また、静電気により帯電した毛髪体は、プラスの電荷を帯びており、頭皮から血液中に供給されるべき空気中のマイナスイオンを捕らえてしまう。一般に，血液は、偏った食事やストレスなどのため、弱アルカリ性から酸性に変化し、このように酸性化した血液では、赤血球どうしが結合して、血流を活性化することが困難とされている。通常においては、空気中のマイナスイオンが血液中に供給されることによって血液のアルカリ化が図られるが、上記かつらを着用した頭皮では、このような作用が阻害されるので、血流を活性化することができなくなる。その結果、頭皮における新陳代謝が悪化し、頭皮の健康が損なわれてしまう。
【０００５】
本願発明は、上記した事情のもとで考え出されたものであって、毛髪体が帯電するのを防止可能なかつらを提供することをその課題とする。
【０００６】
【発明の開示】
上記課題を解決するため、本願発明では、次の技術的手段を講じている。
【０００７】
すなわち、本願発明の第１の側面により提供されるかつらは、頭部に装着されるベースと、このベースに固定された複数の毛髪体と、を備え、上記各毛髪体は、ゲルマニウムを含むことにより帯電防止機能が付与されていることを特徴とする。
【０００８】
ゲルマニウムは、半導体であり、室温における抵抗率は４６Ω・ｃｍと帯電した静電気を毛髪体の表面で移動させるには十分な導電性を有している。これにより、かつらは帯電防止機能が付与されることになり、その作用効果については、発明者らの行った電荷の半減期測定試験（後述）によっても確認されている。
【０００９】
本願発明の好適な実施形態によれば、上記各毛髪体の表面には、ゲルマニウムを含む被覆層が形成されている。また、その被覆層には、カンラン石成分をさらに含ませるのが好ましい。このカンラン石成分は、マイナスイオンの発生により、血行促進・疲労回復などの優れた効果の他に、殺菌・抗菌などの作用も発揮するものであり、上記ゲルマニウムによる作用に加えて、かつらの価値をそれだけ高めるものである。
【００１０】
本願発明の他の好適な実施形態によれば、上記各毛髪体の毛芯自体が、ゲルマニウム粉末を含む樹脂により形成されており、別途ゲルマニウムを含ませる処理が必要でなくなる。なお、この場合においても、上記各毛髪体の毛芯を構成する樹脂に、粉末の形態でカンラン石成分をさらに含ませてもよい。
【００１１】
上記いずれの実施形態においても、上記各毛髪体の毛芯は、モダアクリル繊維、またはポリ塩化ビニル繊維により形成されている。これらの樹脂は、かつらを構成する材料として一般的なものであり、本願発明を実施するに際して特別な材料を必要とせず、低コストでの実施が可能となる。
【００１２】
本願発明の第２の側面によれば、頭部に装着されるベースに複数の毛髪体を固定してなるかつらの製造方法であって、上記ゲルマニウムを含む被覆層を毛髪体の表面に形成する被覆工程を含み、上記被覆工程は、ゲルマニウムと固定剤とが溶解した被覆用溶液中に毛髪体を浸漬するか、または毛髪体に上記被覆用溶液を噴霧させた後、これを乾燥することによって行われることを特徴とする、かつらの製造方法が提供される。
【００１３】
【発明の実施の形態】
以下、本願発明の好ましい実施の形態について、図面を参照して具体的に説明する。
【００１４】
図１は、本願発明に係るかつらの一例を示す概略底面図、図２は、図１における毛髪体の拡大断面図である。図３および図４は、図１のかつらを製造する方法を説明するための図である。
【００１５】
図１に示すかつら１は、頭部に装着される部分となるベース２と、このベース２に固定された複数の毛髪体３とを有している。
【００１６】
ベース２は、たとえば、合成繊維製の糸などをメッシュ状に編成することにより形成されており、頭皮に沿って装着可能なようにキャップ状とされている。このベース２には、孔部２１が設けられており、かつら１の通気性を向上させている。また、ベース２における頭部と対向する面には、装着用のピン止め２２が取り付けられている。
【００１７】
このようなベース２に対し、毛髪体３は、５０本〜１５０本／ｃｍ２程度の密度で植毛される。その植毛方法としては、ベース２を構成している各糸に結び付ける方法（図３（ｂ）および図４参照）や、複数の毛髪体２が固着された接着テープをベース２の数カ所にそれぞれ接着する方法などがある。
【００１８】
各毛髪体３の毛芯３１は、モダアクリル繊維やポリ塩化ビニル繊維などの合成繊維により形成されている。各毛芯３１は、図２ではモノフィラメント構造とされているが、手触り感（風合い）向上のためマルチフィラメント構造とされていてもよく、その全体としての太さが人毛（６０μｍ〜１００μｍ程度）と同等とされている。本実施形態では、毛芯３１の表面には、図２に示すように、その長手方向に延びる複数の凸部が設けられており、櫛通しをした際に、櫛の歯と毛芯との摩擦を抑えて毛髪体３に静電気が発生しにくいような構造となっている。
【００１９】
毛髪体３の表面には、毛芯３１を覆うように膜状に形成された被覆層３２が設けられており、この被覆層３２には、ゲルマニウムが含まれている。ゲルマニウムは、半導体であるため、毛髪体３と櫛の歯との摩擦により発生しうる静電気により毛髪体３が帯電してもこれを短時間で除電することができる。これにより、空気中のマイナスイオンが頭皮から血液中に供給されることができ、血液のアルカリ化が可能となる。したがって、血液の酸性化による赤血球どうしの結合が防止され、血流を活性化することができる。
【００２０】
また、この被覆層３２には、本実施形態では、ゲルマニウムのほかにカンラン石成分も含まれている。カンラン石成分は、マイナスイオン発生作用がある他に、遠赤外線のうち、波長が４μｍ〜１４μｍ程度の光線（生育光線）を効率よく放射している鉱石である。生育光線は、体内の水分子を共鳴振動させ、水分子間の水素結合鎖を断ち切ることが可能とされている。したがって、生育光線を血液に照射することにより、その血流の活性化を図ることができる。
【００２１】
このような被覆層３２は、毛髪体３をベース２に固定する前、あるいはその後に形成される。すなわち、上記かつら１を製造する際には、まず、図３（ａ）に示すように、毛髪体３の毛芯３１を束ねた毛芯束３１ａを、ゲルマニウム粉末、カンラン石粉末および固定剤などを溶解した被覆用溶液４中に浸漬させた後、これを被覆用溶液４から取り出して乾燥させる。次いで、これにより得られた毛芯３１（毛髪体３）を、図３（ｂ）に示すように、ベース２に対してバランスよく所定の密度で植毛する。
【００２２】
あるいは、上記かつら１は、図４に示すように、ベース２に植毛した毛髪体の毛芯３１に被覆用溶液４を噴霧させた後、これを乾燥させることによって製造される。
【００２３】
このように、上記かつら１を製造する際、被覆層３２は、毛髪体３の表面に被覆用溶液を付着させてこれを乾燥するだけで形成されるので、かつら１の製造が複雑化することがない。
【００２４】
上記かつら１によれば、毛髪体３の被覆層３２にゲルマニウムが含まれているので、毛髪体３が帯電するのを防止することができ、頭皮における血流の活性化を図ることができる。また、被覆層３２には、カンラン石も含まれているので、頭皮における血流の活性化をさらに促進することができる。
【００２５】
したがって、かつら１は、従来例とは異なり、帯電による毛髪体３の逆立ちなど外観上の問題を防止することができるだけでなく、頭皮の新陳代謝を向上させ、頭皮の健康状態を保つことを可能とする。
【００２６】
以下、本願発明の実施例および比較例を挙げ、本願発明をさらに詳しく説明するが、本願発明はこの実施例によって何ら限定されるものではない。
【００２７】
【被覆用溶液の調製例】
圧力容器に水２０リットルを入れて、その中に平均粒径が０．５ｃｍ〜１．０ｃｍ程度とされた小塊状カンラン石を４ｋｇ入れた後、加圧状態で水を沸騰させた。次いで、小塊状カンラン石を取り除き、圧力容器内に、平均粒径が３０μｍ程度とされたカンラン石の粉末を５ｇ入れ、さらに１時間煮沸した。次いで、圧力容器内の液体の上澄み液を２４時間放置した後、これを濾過した。次いで、得られた液体を再度沸騰させて、その中に平均粒径が３０μｍ程度とされたゲルマニウムの粉末を２ｇ入れ、さらに１５分間煮沸した。次いで、得られた液体を冷却し、その中に固定剤と浸透剤とを合計１重量％入れることにより被覆用溶液を得た。ここで、固定剤としては、ミヨシ油脂社製の「ミューロンＡＫ１６１」を用い、浸透剤としては、ミヨシ油脂社製の「ペレソフトＮＳ」を用いた。また、固定剤と浸透剤との重量比を６．５：３．５とした。
【００２８】
【実施例】
上記調製例で得た被覆用溶液（２０℃）をベース２に植毛された毛髪体の毛芯３１に吹き付け、これを自然乾燥させた。
【００２９】
【比較例】
ベース２とこのベース２に植毛された毛芯３１（上記被覆用溶液での処理を施していないもの）とを有するかつらを用意した。
【００３０】
【帯電性の評価】
上記実施例で得られたかつら、および比較例で用意したかつらについて、ＪＩＳ　Ｌ１０９４織物及び編物の帯電性試験方法のＡ法（半減期測定）を実施した。その際の、温度２０℃であり、相対湿度４０％であった。
【００３１】
上記試験の結果、実施例のかつらでは、半減期が４秒となり、比較例のかつらでは、半減期が１２秒となった。このように、本願発明のかつらは、帯電性が低いことがわかる。
【００３２】
以上、説明してきたように、本願発明によると、帯電するのを防止可能なかつらが提供される。
【００３３】
もちろん、この発明の範囲は上述した実施の形態に限定されるものではない。たとえば、上記実施の形態において、ベース２は、合成繊維製の糸を編成したネット状のものとされているが、これに限ることはなく、たとえば、合成ゴムなどをキャップ状に形成したものとしてもよい。
【図面の簡単な説明】
【図１】本願発明に係るかつらの一例を示す概略底面図である。
【図２】図１における毛髪体の拡大断面図である。
【図３】（ａ）および（ｂ）は、図１のかつらを製造する方法を説明するための一連の図である。
【図４】図１のかつらを製造する方法を説明するための図である。
【符号の説明】
１　　かつら
２　　ベース
３　　毛髪体
３１　毛芯
３２　被覆層
【図１】
2004052184.tif 000003
【図２】
2004052184.tif 000004
【図３】
2004052184.tif 000005
【図４】
2004052184.tif 000006